【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
建設機械のフロント部分を構成するため、複数の板材を互いに接合することにより長手方向に延び横断面が四角形状をなす角筒体として形成される建設機械用作業腕において、
前記角筒体を形成する板材のうち少なくとも一部の板材は、前記角筒体の長手方向を圧延方向として当該圧延方向の途中に段差部を設けこの段差部の前，後で板厚が異なる段付き圧延鋼板を用いたことを特徴とする建設機械用作業腕。
【請求項２】
前記段付き圧延鋼板は、前記段差部を境として前記角筒体の長手方向の一側に厚板部を配置し、この段差部の位置から他側に向けて薄板部を配置してなる請求項１に記載の建設機械用作業腕。
【請求項３】
前記段付き圧延鋼板は、前記角筒体の長手方向の両側に厚板部を配置し長手方向の中間部位に薄板部を配置し、前記薄板部と厚板部との境界部にそれぞれ前記段差部を設けてなる請求項１に記載の建設機械用作業腕。
【請求項４】
前記角筒体は、これを形成する複数の板材のうち一部の板材に前記段付き圧延鋼板を用い、残余の板材に厚板材と薄板材とを溶接により接合してなる差厚材を用いてなる請求項１，２または３に記載の建設機械用作業腕。
【請求項５】
前記角筒体は、これを形成する複数の板材に全て前記段付き圧延鋼板を用いてなる請求項１，２または３に記載の建設機械用作業腕。
【請求項６】
建設機械のフロント部分を構成するため、複数の板材を互いに接合することにより長手方向に延び横断面が四角形状をなす角筒体として形成される建設機械用作業腕において、
前記角筒体を形成する板材のうち少なくとも一部の板材は、前記角筒体の長手方向を圧延方向として当該圧延方向に沿って連続的に板厚が変化する傾斜圧延鋼板を用いたことを特徴とする建設機械用作業腕。
【請求項７】
建設機械のフロント部分を構成するため、複数の板材を互いに接合することにより長手方向に延び横断面が四角形状をなす角筒体として形成される建設機械用作業腕において、
前記角筒体を形成する複数の板材のうち一部の板材は、前記角筒体の長手方向を圧延方向として当該圧延方向の途中に段差部を設けこの段差部の前，後で板厚が異なる段付き圧延鋼板を用い、残余の板材は、圧延方向に対して連続的に板厚が変化する傾斜圧延鋼板を用いたことを特徴とする建設機械用作業腕。
【請求項８】
前記段付き圧延鋼板は前記角筒体の長手方向の両側に厚板部を配置すると共に長手方向の中間部位に薄板部を配置し、前記傾斜圧延鋼板は前記角筒体の長手方向に沿って連続的に板厚が変化する構成としてなる請求項７に記載の建設機械用作業腕。
【請求項９】
前記角筒体は上板、下板、左側板及び右側板により構成し、前記左，右の側板には左，右方向に貫通するボス部を設け、該ボス部の近傍部位には前記圧延鋼板の厚板部を配置する構成としてなる請求項１，２，３，４，５，６，７または８に記載の建設機械用作業腕。
【手続補正２】
【補正対象書類名】明細書
【補正対象項目名】００１３
【補正方法】変更
【補正の内容】
【００１３】
そして、請求項１の発明の特徴は、角筒体を形成する板材のうち少なくとも一部の板材は、前記角筒体の長手方向を圧延方向として当該圧延方向の途中に段差部を設けこの段差部の前，後で板厚が異なる段付き圧延鋼板を用いたことにある。
【手続補正３】
【補正対象書類名】明細書
【補正対象項目名】００１４
【補正方法】変更
【補正の内容】
【００１４】
請求項２の発明は、前記段差部を境として前記角筒体の長手方向の一側に厚板部を配置し、この段差部の位置から他側に向けて薄板部を配置したことにある。
【手続補正４】
【補正対象書類名】明細書
【補正対象項目名】００１５
【補正方法】変更
【補正の内容】
【００１５】
請求項３の発明は、段付き圧延鋼板は、角筒体の長手方向の両側に厚板部を配置し長手方向の中間部位に薄板部を配置し、前記薄板部と厚板部との境界部にそれぞれ前記段差部を設けたことにある。
【手続補正５】
【補正対象書類名】明細書
【補正対象項目名】００１８
【補正方法】変更
【補正の内容】
【００１８】
請求項６の発明は、建設機械のフロント部分を構成するため、複数の板材を互いに接合することにより長手方向に延び横断面が四角形状をなす角筒体として形成される建設機械用作業腕において、角筒体を形成する板材のうち少なくとも一部の板材は、前記角筒体の長手方向を圧延方向として当該圧延方向に沿って連続的に板厚が変化する傾斜圧延鋼板を用いたことにある。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
請求項７の発明は、建設機械のフロント部分を構成するため、複数の板材を互いに接合することにより長手方向に延び横断面が四角形状をなす角筒体として形成される建設機械用作業腕において、角筒体を形成する複数の板材のうち一部の板材は、前記角筒体の長手方向を圧延方向として当該圧延方向の途中に段差部を設けこの段差部の前，後で板厚が異なる段付き圧延鋼板を用い、残余の板材は、圧延方向に対して連続的に板厚が変化する傾斜圧延鋼板を用いたことにある。
【手続補正８】
【補正対象書類名】明細書
【補正対象項目名】００２１
【補正方法】変更
【補正の内容】
【００２１】
請求項８の発明は、段付き圧延鋼板は角筒体の長手方向の両側に厚板部を配置すると共に長手方向の中間部位に薄板部を配置し、傾斜圧延鋼板は角筒体の長手方向に沿って連続的に板厚が変化する構成としたことにある。
【手続補正９】
【補正対象書類名】明細書
【補正対象項目名】００２２
【補正方法】変更
【補正の内容】
【００２２】
請求項９の発明は、角筒体は上板、下板、左側板及び右側板により構成し、左，右の側板には左，右方向に貫通するボス部を設け、該ボス部の近傍部位には圧延鋼板の厚板部を配置する構成としたことにある。
【手続補正１０】
【補正対象書類名】明細書
【補正対象項目名】００２３
【補正方法】変更
【補正の内容】
【００２３】
請求項１の発明によれば、角筒体を形成する板材として、角筒体の長手方向である圧延方向の途中に段差部を設けこの段差部の前，後で板厚が異なる段付き圧延鋼板を用いたので、角筒体のうち剛性、疲労強度等を高める必要がある部位の板厚を部分的に大きくすることができる。このため、作業腕全体の重量増加を抑えつつ該作業腕の剛性、疲労強度等を高めることができる。
【手続補正１１】
【補正対象書類名】明細書
【補正対象項目名】００２５
【補正方法】変更
【補正の内容】
【００２５】
請求項２の発明によれば、段付き圧延鋼板は、段差部を境として角筒体の長手方向の一側に厚板部を配置し、段差部の位置から他側に向けて薄板部を配置したので、角筒体の一側の剛性、疲労強度等を大きくした場合でも、角筒体の他側の板厚を小さくした分、作業腕全体の重量増加を抑えることができる。
【手続補正１２】
【補正対象書類名】明細書
【補正対象項目名】００２６
【補正方法】変更
【補正の内容】
【００２６】
請求項３の発明によれば、段付き圧延鋼板は、角筒体の長手方向の両側に厚板部を配置し長手方向の中間部位に薄板部を配置し、薄板部と厚板部との境界部にそれぞれ段差部を設けたので、角筒体の長手方向両側における剛性、疲労強度等を大きくした場合でも、長手方向の中間部位の板厚を小さくした分、作業腕全体の重量増加を抑えることができる。
【手続補正１３】
【補正対象書類名】明細書
【補正対象項目名】００２９
【補正方法】変更
【補正の内容】
【００２９】
請求項６の発明によれば、角筒体を形成する板材として、角筒体の長手方向である圧延方向に沿って連続的に板厚が変化する傾斜圧延鋼板を用いたので、角筒体のうち剛性、疲労強度等を高める必要がある部位の板厚を部分的に大きくすることができる。このため、作業腕全体の重量増加を抑えつつ該作業腕の剛性、疲労強度等を高めることができる。また、傾斜圧延鋼板は、その長手方向において応力集中等の原因となる急激な板厚差を生じることがないので、角筒体の長手方向において部分的な強度の不連続部が形成されるのを抑えることができ、作業腕全体の信頼性を高めることができる。
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】変更
【補正の内容】
【００３１】
請求項７の発明によれば、角筒体を形成する複数の板材のうち一部の板材に、角筒体の長手方向である圧延方向の途中に段差部を設けこの段差部の前，後で板厚が異なる段付き圧延鋼板を用い、残余の板材に、圧延方向に対して連続的に板厚が変化する傾斜圧延鋼板を用いている。これにより、角筒体のうち剛性、疲労強度等を高める必要がある部位の板厚を部分的に大きくすることができ、作業腕全体の重量増加を抑えつつ該作業腕の剛性、疲労強度等を高めることができる。
【手続補正１６】
【補正対象書類名】明細書
【補正対象項目名】００３２
【補正方法】変更
【補正の内容】
【００３２】
請求項８の発明によれば、段付き圧延鋼板は角筒体の長手方向の両側に厚板部を配置すると共に長手方向の中間部位に薄板部を配置し、傾斜圧延鋼板は角筒体の長手方向に沿って連続的に板厚が変化する構成としている。これにより、角筒体のうち剛性、疲労強度等を高める必要がある部位の板厚を大きくし、それ以外の部位の板厚を小さくすることにより、作業腕全体の重量増加を抑えることができる。
【手続補正１７】
【補正対象書類名】明細書
【補正対象項目名】００３３
【補正方法】変更
【補正の内容】
【００３３】
請求項９の発明によれば、角筒体を構成する左，右の側板にはボス部を設け、該ボス部の近傍部位には圧延鋼板の厚板部を配置する構成としたので、角筒体のうち大きな負荷が作用するボス部の周囲における剛性、疲労強度を高めることができる。